(57)【要約】【課題】スイッチユニットの構成を簡単、かつコンパクト化し、使い勝手のよい誘導加熱調理器を提供することを目的とする。【解決手段】入力設定するスイッチユニット１０を上部フレーム８に取り付けて、本体１を構成する上部フレーム８と下部フレーム９を延長した空間に配置し、本体１ケースに取り付けてなるものである。これにより、スイッチユニット１０は、上部フレーム８に取り付けて本体１を構成する上部フレーム８と下部フレーム９を延長した空間に配置するだけであり、構成が簡単、かつコンパクト化し、堅牢で使い勝手のよいものとなる。【選択図】図３
2005265208.tif 000002
【特許請求の範囲】
【請求項１】
ワークトップに形成された開口に落とし込まれ、前記開口の周縁部で前記ワークトップに支持されるとともに内部に加熱装置を有する本体と、前記本体の上面に設けられ前記加熱装置で加熱される被加熱物を載置するトッププレートと、前記トッププレート下部の外周部を保持し、前記本体上部に固定される下部フレームと、前記トッププレートの上部外周部を覆い、前記トッププレートまたは前記下部フレームに固定される上部フレームと、使用者により操作され、前記加熱装置に電気接続される少なくともひとつの入力部を有するスイッチユニットとを備え、前期上部フレーム及び前記下部フレームは、前記ワークトップに沿って延長され、延長された前記上部フレームと前記下部フレームとの間に形成された空間部に前記スイッチユニットを設け、前記上部フレームに設けた開口部の下に設けた前記入力部を操作するように構成し、少なくともひとつの前記入力部が前記ワークトップの前記開口の周縁部の上方に位置するようにしてなる組込み型加熱調理器。
【請求項２】
上部フレームに設けた開口部を覆うとともに操作するための操作部を設けたメンブレンシートを備え、スイッチユニットは、プリント配線板と、前記プリント配線板に固定された入力部であるスイッチと、前記プリント配線版上に配置される絶縁性を有する上部固定版と、前記プリント配線板を載置する絶縁性を有する下部固定板と、前記プリント配線板は、前記上部固定板と前記下部固定板とで狭持され、かつ上部フレームに固定されてなる請求項１に記載の組込み型加熱調理器。
【請求項３】
スイッチの接点部がプリント配線板上に形成され、操作することにより可動して前記スイッチの接点部の開閉をおこなうキートップを上部固定版に一体に形成してなる請求項２に記載の組込み型加熱調理器。
【請求項４】
上部フレームの裏面にスイッチユニットを固定する固定金具を設けた請求項３に記載の組込み型加熱調理器。
【請求項５】
制御部とスイッチユニットを連結する配線用ケーブルは、本体ケースの内側に配置し、前記制御部と前記スイッチユニットとを連結する距離の２倍以上の長さを有する請求項４に記載の組込み型加熱調理器。
【請求項６】
下部固定板に配線用ケーブルを保持するフック形状を設けた請求項５に記載の組込み型加熱調理器。
【請求項７】
上部フレームの上面に、スイッチユニットへの液体の流れ込みを阻止する液体阻止部を設けた請求項１〜６のいずれか１項に記載の組込み型加熱調理器。
【発明の詳細な説明】
【技術分野】
【０００１】
本発明は、キッチンのワークトップに組み込まれ加熱調理する組込み型加熱調理器に関するものである。
【背景技術】
【０００２】
従来、組込み型加熱調理器の本体は、上面が開口した箱型形状をなす本体ケース内に、２〜３口の加熱部を有し、例えば誘導加熱を応用した誘導加熱調理器は、左右に位置して誘導加熱コイルを備えるとともに、中央後部位にコイルヒーターを備え、さらに、その上面に、耐熱性と電気絶縁性を有する被加熱物を載置するトッププレートを設けて構成されている。このようにトッププレート上に被加熱物を載置して、左右に位置して電磁調理用の加熱調理部が設けられるとともに、中央後部に位置してヒーター調理用の加熱調理部が設けられるようになっている。
【０００３】
この本体は、キッチンのワークトップに形成された開口部に、上から落とし込まれ、組み込まれるようになっている。このとき、前記トッププレートは、その四辺部が金属製のフレームによって保持されており、このフレームによって本体に取り付けられるとともに、キッチンのワークトップに支持されるようになっている。そして、この組込み型の誘導加熱調理器において、電源の入・切や出力設定等、実使用において使用者の要望を受付けるスイッチ部としては、メンブレン型のスイッチを備え、本体の前側面に設けたものが主流である。また、主電源を切るメインスイッチは、シーソー式や、プッシュ式のスイッチで構成され、電源回路を直接切るようにしている。
【０００４】
この従来のスイッチ部は、本体の内部にスイッチケース本体を構成する外郭周辺に固定台を介して操作基板を固定し、この操作基板上にタクトスイッチを取り付け、そのスイッチをスイッチケース本体の上部ケースに設けた押釦部をその上に貼り付けたメンブレンシートを介して操作するようにしたものである。
【０００５】
また、主電源を切るスイッチは単独のスイッチを用いて主回路を切る構成で、大電流にも耐えられるような高容量タイプのスイッチを用いている（例えば、特許文献１参照）。
【特許文献１】特開平１０−１６５２４３号公報
【発明の開示】
【発明が解決しようとする課題】
【０００６】
しかしながら、前記従来の構成では、スイッチ部は、スイッチケース本体の外郭、固定台、操作基板、操作基板上のタクトスイッチ、スイッチケース本体の上部ケースにある押釦部、およびメンブレンシートと関連構成部材が多く、構成が複雑で、かつスイッチ本体部の厚みが厚くなり、スペースも広く取る必要があった。
【０００７】
また、スイッチ部がトッププレートに近づいてしまい、被加熱物である鍋を載置する加熱部とを分離するためにフレームにリブ等を設けて、安全を確保していた。そのため、外観的にも、スペース的にも課題があった。
【０００８】
本発明は、前記従来の課題を解決するもので、トッププレートの外周部を覆う上部フレームとトッププレートの外周部を保持し、本体上部に固定される下部フレームの間に形成された空間部にスイッチユニットを設けることにより、スイッチユニットの構成を簡単、かつコンパクト化し、堅牢でかつ薄型で使い勝手のよい組込み型の加熱調理器を提供することを目的とする。
【課題を解決するための手段】
【０００９】
前記従来の課題を解決するために、本発明の組込み型加熱調理器は、上部フレーム及び下部フレームをワークトップに沿って延長するように設け、延長された上部フレームと下部フレームの間に形成された空間部にスイッチユニットを設け、スイッチユニットはワークトップの開口の周縁部の上方に位置してなるものである。
【００１０】
これにより、スイッチユニットは、トッププレートの外周部を覆う上部フレームとトッププレートの外周部を保持し、本体上部に固定される下部フレームとの間に形成された空間部にスイッチユニットを配置するだけであり、構成が簡単、かつコンパクトでフレーム内に収納できるため、堅牢で使い勝手のよいものとなる。
【発明の効果】
【００１１】
本発明の組込み型加熱調理器は、スイッチユニットの構成を簡単、かつコンパクト化し、堅牢でかつ薄型で使い勝手のよいものとすることができる。
【発明を実施するための最良の形態】
【００１２】
第１の発明は、ワークトップに形成された開口に落とし込まれ、前記開口の周縁部で前記ワークトップに支持されるとともに内部に加熱装置を有する本体と、前記本体の上面に設けられ前記加熱装置で加熱される被加熱物を載置するトッププレートと、前記トッププレート下部の外周部を保持し、前記本体上部に固定される下部フレームと、前記トッププレートの上部外周部を覆い、前記トッププレートまたは前記下部フレームに固定される上部フレームと、使用者により操作され、前記加熱装置に電気接続される少なくともひとつの入力部を有するスイッチユニットとを備え、前期上部フレーム及び前記下部フレームは、前記ワークトップに沿って延長され、延長された前記上部フレームと前記下部フレームとの間に形成された空間部に前記スイッチユニットを設け、前記上部フレームに設けた開口部の下に設けた前記入力部を操作するように構成し、少なくともひとつの前記入力部が前記ワークトップの前記開口の周縁部の上方に位置するようにしてなる組込み型加熱調理器とすることにより、スイッチユニットは、トッププレートの外周部を覆う上部フレームとトッププレートの外周部を保持し、本体上部に固定される下部フレームの間に形成された空間部にスイッチユニットを配置するだけであり、構成が簡単、かつコンパクト化し、堅牢で使い勝手のよいものとなる。
【００１３】
第２の発明は、特に、第１の発明において、上部フレームに設けた開口部を覆うとともに操作するための操作部を設けたメンブレンシートを備え、スイッチユニットは、プリント配線板と、前記プリント配線板に固定された入力部であるスイッチと、前記プリント配線版上に配置される絶縁性を有する上部固定版と、前記プリント配線板を載置する絶縁性を有する下部固定板と、前記プリント配線板は、前記上部固定板と前記下部固定板とで狭持され、かつ上部フレームに固定させたことにより、スイッチユニットの操作部はメンブレンシートにより、液体等の内部への侵入を防止するとともに、スイッチユニットを上部フレームに固定することにより、メンブレンシートの操作部と入力部であるスイッチの位置が決まり、安定した操作ができ、信頼性が高く、使い勝手もよいものである。
【００１４】
第３の発明は、特に、第２の発明において、スイッチの接点部がプリント配線板上に形成され、操作することにより可動して前記スイッチの接点部の開閉をおこなうキートップを上部固定版に一体に形成することにより、プリント配線板上にスイッチ接点を構成しているため、スイッチユニットが薄型にできるほか、絶縁体を有する上部のキートップと一体形成する上部固定板と下部固定板で覆っているため、金属板で構成した上部フレームと下部フレームの空間に配置しても、絶縁性が保たれるため、安全である。
【００１５】
第４の発明は、特に、第３の発明において、上部フレームの裏面にスイッチユニットを固定する固定金具を設けることにより、スイッチユニットを固定金具にネジ等で固定することができ、スイッチユニットの操作部の強度アップが図れるとともに位置関係を安定させることができ、スイッチ部の変形を防止することができる。これによりスイッチユニットの耐久性が向上できるほか、安定した操作性を得ることができる。
【００１６】
第５の発明は、特に、第４の発明において、制御部とスイッチユニットを連結する配線用ケーブルを、本体ケースの内側に配置し、前記制御部と前記スイッチユニットとを連結する距離の２倍以上の長さを有することにより、配線作業が容易に行え、コネクター部分にも力が加わらないため、品質の良いスイッチユニットにすることができる。
【００１７】
第６の発明は、特に、第５の発明において、スイッチユニットの下部の固定板に配線用ケーブルを保持するフック形状を設けることにより、配線用ケーブルの移動を防止でき、組立時の配線の挟み込みが防止できて、組み立てやすく、信頼性の高いスイッチユニットにすることができる。
【００１８】
第７の発明は、特に、第１〜６の発明において、上部フレームの上面に、スイッチユニットへの液体の流れ込みを阻止する液体阻止部を設けたことにより、液体阻止部の作用でトッププレートにこぼれた水や煮汁がスイッチユニットに流れ込むことを防止するとともに、加熱された鍋やフライパン等がずらして置かれた時にも、液体阻止部の作用で直接スイッチユニット上面のメンブレンシートに接触することがなく、メンブレンシートの熱変形やスイッチユニット電極間の短絡を防止することができる。
【００１９】
以下、本発明の実施の形態について、図面を参照しながら説明する。なお、この実施の形態によって本発明が限定されるものではない。
【００２０】
（実施の形態１）
図１、図２、図３は、本発明の実施の形態１における組込み型加熱調理器を示すものである。
【００２１】
図１は、キッチンのワークトップ７の開口部に本体１をはめ込んだ組込み型の加熱調理器を示している。図に示すように、ワークトップ７には、これと同一平面に本体部を支持するための加熱調理器を構成する金属製の上部フレーム８が外周部に露出している。上部フレーム８の内側に３つの加熱部を有する耐熱性と電気絶縁性をもったトッププレート２が装備され、上部フレーム８のワークトップ７に沿って延長した内部に入力設定するスイッチユニット１０が固定されている。そして、スイッチユニット１０の近傍の上部フレーム８には、入力設定する操作スイッチ１１を表す表示と動作状態とを表示する表示部１２がある。また、同様に上部フレーム８には、各操作を入力設定する操作スイッチ１１を設けている。
【００２２】
図２は、本体１をワークトップ７内に設置した状態の詳細を示している。トッププレート２の下には加熱コイル３が配置され、インバータ電源装置４から交流電流の供給を受けて被加熱物である調理物の入った鍋５に渦電流を発生させ、発熱させて調理することができるようになっている。制御する制御部６は、操作スイッチ１１の入力設定情報やセンサー１４等による部品温度、雰囲気温度の情報によってインバータ電源４をコントロールしている。上部フレーム８は、ステンレス鋼板やホーロー鋼板のような金属の薄板よりなり、引っ掻き等に対して十分な強度を有している。図２では上部フレーム８は、その操作部分と外周部分が一体形成されているが、図１に示すように、その操作部分と外周部分に分割して構成することも可能である。
【００２３】
図３は、スイッチユニット部の詳細を示している。トッププレート２の外周部に取り付けた上部フレーム８と、同様にトッププレート２の外周部を支える下部フレーム９との空間に、スイッチユニット１０を配置している。スイッチユニット１０は、絶縁性を有する樹脂成型品等でできた上部固定板１０ａと下部固定板１０ｂとプリント配線板１３とで構成されており、プリント配線板１３上に配線された電極部１６を導電性のドーム形状をした接点部１７で導通させることによってスイッチユニット１０を構成している。この接点部１７は上部固定板１０ａに設けたキートップの押し部１８で押されて反転し、電極部１６を導通するようになっている。スイッチユニット１０は、トップフレーム８に溶接固定された固定金具２１にネジ２３等で固定し、上部フレーム８と下部フレーム９間に取り付けている。
【００２４】
この取り付けにより、スイッチユニット１０は、上部フレーム８との位置関係が決まりやすく、上部フレーム８が仮に変形したとしても、スイッチユニット１０の操作部１０ｅを安定して操作することができる。
【００２５】
そしてスイッチユニット１０のある上部フレームには、キーの表示を表す文字や絵を印刷したメンブレンシート１９を貼り付けている。この取り付け状態で、スイッチユニット１０の操作部１０ｅは、キートップとなる上部固定板１０ａ、下部固定板１０ｂ、下部フレーム９を介してワークトップ７の上部に位置しており、操作部１０ｅの押圧力をワークトップ７で受け、スイッチユニット１０のたわみを抑え、操作性と耐久性を向上させている。また、上部フレーム８には凹部８ａを設けており、ここにメンブレンシート１９を配置し、上部フレーム８の上面より凹部８ａの段差分だけ下方にスイッチユニット１０の操作部１０ｅを位置させている。そのため、なべやフライパンの底がズレて移動しても先に上部フレーム８に触れるので直接メンブレンシート１９に触れることはない。
【００２６】
なお、本発明の実施の形態におけるスイッチユニットの構成を上部固定板１０ａと下部固定板１０ｂとプリント配線板１３とにより構成したが、メンブレンシート１９に電極印刷を設けたスイッチやガラス面に電極印刷をし、静電容量の変化を検出するガラスタッチのスイッチでも上部フレーム８と下部フレーム９の間に形成された空間部に配置することにより、同様の効果を得るこができる。
【００２７】
また、組込み型誘導加熱調理器を組み立てるときの構成としては、上部フレーム８と下部フレーム９のトッププレート２と接する外周面をシリコンの接着剤１５で接着させ、ユニットにする。これは、調理するなべやフライパンを載せるトッププレート２天面に液体がこぼれても上部フレーム８の内側に侵入しないようにするためである。そしてこのトッププレート２と上下フレーム８、９のユニットにスイッチユニット１０を上部フレーム８に固定された固定金具２１にネジ２３で締め付け固定する。その後、スイッチユニット１０が付いたトッププレート２のユニットを本体１ケースに装着し、ネジで締め付け固定する。
【００２８】
このときにトッププレート２のユニットを本体１ケースに仮置きした状態で、スイッチユニット１０と制御部６とをつなぐ配線用ケーブル２０を配線し、配線の処理をした後にトッププレート２のユニットを本体１ケースに取り付ける。そのため、スイッチユニット１０と制御部６との配線用ケーブル２０は、作業者が配線し、本体１ケースの内側に処理できるように、スイッチユニット１０と制御部６とを連結する距離の２倍以上の長さを必要とする。
【００２９】
本体ケース１の内側で配線処理された、配線用ケーブル２０は、下側に略Ｕ字状のたるみ部２０ａができ、本体１ケース内に液体が浸入したとしても、配線用ケーブル２０のたるみ部２０ａに沿って下方の所定の位置に滴下することになり、加熱コイル３やインバータ電源装置４には液体が浸入することがなく、安全である。
【００３０】
スイッチユニット１０の下部固定板１０ｂに配線用ケーブル２０を保持するフック形状２２を設けておけば、トッププレート２のユニット状態でも配線用ケーブル２０が保持されているため、作業がしやすく、配線処理も安定する。また、サービス時にトッププレート２のユニットを取り外す場合に、配線用ケーブル２０を引張ったとしてもフック形状２２に力が伝わり、直接コネクターには力が掛からず、コネクターを破損する心配もない。
【００３１】
（実施の形態２）
図４は、本発明の実施の形態２における組込み型誘導加熱調理器を示すものである。実施の形態１と同一要素については、同一符号を付して説明を省略する。
【００３２】
本実施の形態においては、上部フレーム８の上面に、スイッチユニット１０への液体の流れ込みを阻止する上方に突出した液体阻止部２４を設けたものである。
【００３３】
これにより、液体阻止部２４の作用でトッププレート２にこぼれた水や煮汁がスイッチユニット１０側に流れ込むことをブロックして防止するとともに、加熱された鍋やフライパン等をずらして置かれた時にも、液体阻止部２４の作用で先に接触するので直接スイッチユニット１０上のメンブレンシート１９に接触することがなく、メンブレンシート１９の熱変形やキートップ１０ａ（上部固定版）の熱変形を防止することができる。なお、液体阻止部２４はリング状に設けてもよいし、あるいはトッププレート２とスイッチユニット１０との間に堰きとして設けてもよい。
【００３４】
なお、上記した各実施の形態１〜２において説明した構成は、必要に応じて適宜組み合わせて構成することができるものであり、各実施の形態で示した構成に限られるものではない。また、実施の形態のスイッチユニットは特定の一つの入力設定スイッチに限られるものではなく、他の複数のスイッチにも適宜応用することができるものである。
【産業上の利用可能性】
【００３５】
以上のように、本発明にかかる組込み型加熱調理器は、スイッチユニットの構成を簡単、かつコンパクト化し、堅牢で使い勝手のよいものとすることができるものであるので、組込み型の加熱調理器はもちろんのこと、据え置き型や卓上型の加熱調理器としても有用なものである。
【図面の簡単な説明】
【００３６】
【図１】本発明の実施の形態１における誘導加熱調理器の斜視図
【図２】同誘導加熱調理器の要部断面図
【図３】同誘導加熱調理器のスイッチユニット要部断面図
【図４】本発明の実施の形態２における誘導加熱調理器の要部断面図
【符号の説明】
【００３７】
１  本体
２  トッププレート
３  加熱コイル
４  インバータ電源装置
６  制御部
７  ワークトップ
８  上部フレーム
８ａ  凹部
９  下部フレーム
１０  スイッチユニット
１０ａ  上部固定板
１０ｂ  下部固定板
１０ｅ  操作部
１３  プリント配線板
１５  接着剤
１６  電極部
１７  接点部
１９  メンブレンシート
２０  配線用ケーブル
【図１】
2005265208.tif 000003
【図２】
2005265208.tif 000004
【図３】
2005265208.tif 000005
【図４】
2005265208.tif 000006